(57)【要約】【課題】タッチパネルを有する画像表示端末において電力の消費を抑制する。【解決手段】画像表示端末の制御部が実行する処理は、当該画像表示端末に接触している指の数を検出するステップ（Ｓ５１０）と、検出された指の数が４本以下である場合に、当該画像表示端末の姿勢が横向きか縦向きかを判断するステップ（Ｓ５２０）と、画像表示端末の姿勢が縦向きである場合に、無効領域記憶部から無効領域座標を取り出すステップ（Ｓ５３０）と、無効領域以外の全画面の電源をオンにするステップ（Ｓ５４０）と、検出された指の数が５本である場合、または、画像表示端末の姿勢が横向きである場合に、タッチパネルの全画面の電源をオンにするステップ（Ｓ５５０）とを含む。【選択図】図５
2014032478.tif 000002
【特許請求の範囲】
【請求項１】
片手で把持できる画像表示端末であって、
筺体と、
画像を表示領域に表示するための表示手段と、
前記表示領域に対するタッチ操作を検出するためのタッチパネルと、
前記画像表示端末の姿勢を検出するための姿勢検出手段と、
前記筺体の長手方向の二つの側面に設けられて前記画像表示端末のユーザの親指が前記二つの側面のいずれかに接触しているか否かを判断するための判断手段と、
前記親指が前記二つの側面のいずれかに接触していないときに、前記タッチパネルの一部に対する電力供給をオフにするための電源制御手段とを備える、画像表示端末。
【請求項２】
前記判断手段は、前記二つの側面において５か所が接触されたか否かに基づいて、前記親指が前記二つの側面のいずれかに接触しているか否かを判断するように構成されている、請求項１に記載の画像表示端末。
【請求項３】
前記判断手段は、前記二つの側面のうちの、各前記側面における接触点の数が少ない側面に接触点があるか否かに基づいて、前記親指が前記二つの側面のいずれかに接触しているか否かを判断するように構成されている、請求項１に記載の画像表示端末。
【請求項４】
前記画像表示端末が前記ユーザの右手または左手のいずれで操作されているかを検出するための操作検出手段と、
タッチ操作が有効な領域を設定するための設定手段とをさらに備え、
前記設定手段は、
前記画像表示端末が前記右手で操作されているとき、前記電源制御手段は、前記表示領域の右下を円の中心とした円弧の一部を、タッチ操作を受け付ける有効領域に設定し、
前記画像表示端末が前記左手で操作されているとき、前記電源制御手段は、前記表示領域の左下を円の中心とした円弧の一部を、タッチ操作を受け付け有効領域に設定するように構成されている、請求項１〜３のいずれかに記載の画像表示端末。
【請求項５】
前記設定手段は、前記二つの側面のうちのいずれかの側面における前記親指の位置に基づいて、タッチ操作を受け付けない無効領域を設定するようにさらに構成されている、請求項４に記載の画像表示端末。
【請求項６】
前記設定手段は、タッチ操作を受け付けない無効領域の設定を受け付けるように構成されており、
前記画像表示端末は、前記無効領域を表わすデータを格納するための記憶手段をさらに備える、請求項４に記載の画像表示端末。
【請求項７】
前記設定手段は、前記表示領域における一点のタッチ操作と、前記表示領域の端点とに基づいて、前記円弧を推定するように構成されている、請求項４に記載の画像表示端末。
【請求項８】
前記電源制御手段は、前記表示領域に表示される画面を前記ユーザの方向に引き寄せるためのタッチ操作に基づいて、前記画面が表示されている領域よりも奥にある領域の電源をオフにするように構成されている、請求項１〜７のいずれかに記載の画像表示端末。
【請求項９】
前記タッチパネルは、二枚のタッチパネルシートを含み、前記二枚のタッチパネルシートのうちの第１のタッチパネルシートと第２のタッチパネルシートとは、前記表示領域のうちの第１の領域と第２の領域とにそれぞれ対応しており、前記第１のタッチパネルシートは前記第２のタッチパネルシートの奥に配置されており、
前記電源制御手段は、前記親指が前記二つの側面のいずれかに接触していないときに、前記第１のタッチパネルシートへの電力供給をオフにするように構成されている、請求項１〜８のいずれかに記載の画像表示端末。
【請求項１０】
片手で把持できる画像表示端末の制御方法であって、
前記画像表示端末は、筺体と、画像を表示領域に表示するための表示装置と、前記表示領域に対するタッチ操作を検出するためのタッチパネルと、前記画像表示端末の動作を制御するためのプロセッサとを備えており、前記制御方法は、
前記プロセッサが、前記画像表示端末の姿勢を検出するステップと、
前記プロセッサが、前記筺体の長手方向の二つの側面に設けられて前記画像表示端末のユーザの親指が前記二つの側面のいずれかに接触しているか否かを判断するステップと、
前記プロセッサが、前記親指が前記二つの側面のいずれかに接触していないときに、前記タッチパネルの一部に対する電力供給をオフにするステップとを含む、画像表示端末の制御方法。
【請求項１１】
片手で把持できる画像表示端末を制御するためのプログラムであって、前記画像表示端末は、筺体と、画像を表示領域に表示するための表示装置と、前記表示領域に対するタッチ操作を検出するためのタッチパネルと、前記画像表示端末の動作を制御するためのプロセッサとを備えており、前記プログラムは、前記プロセッサに、
前記画像表示端末の姿勢を検出するステップと、
前記筺体の長手方向の二つの側面に設けられて前記画像表示端末のユーザの親指が前記二つの側面のいずれかに接触しているか否かを判断するステップと、
前記親指が前記二つの側面のいずれかに接触していないときに、前記タッチパネルの一部に対する電力供給をオフにするステップとを実行させる、プログラム。
【発明の詳細な説明】
【技術分野】
【０００１】
本発明は、画像表示端末の制御に関し、より特定的には、画像表示端末が備えるタッチパネルの制御に関する。
【背景技術】
【０００２】
携帯電話機、スマートフォンその他の携帯可能な画像表示端末の表示装置として、タッチパネルが用いられている。タッチパネルは、その表示領域が広いことおよびタッチ操作を検出する機能を実現するために、電力の消費量が増大する。
【０００３】
タッチパネルを有する端末に関し、たとえば、特開２０１０−３３０７号公報（特許文献１）は、「表示部に設けられたタッチパネルに操作画面を表示する携帯情報端末において、確実に、ユーザの利便性を向上させる」技術を開示している。具体的には、「携帯電話機１００において、表示部３０に、操作画面３１が表示される。操作画面３１には、携帯電話機１００において実行されるアプリケーションに関する処理内容を制御するための情報を入力するボタン３１１Ａ〜３１１Ｃが表示されている。表示部３０上には、タッチパネルが設けられている。ユーザが、タッチパネル上で、矢印Ａ３１に示されるように指を所定の距離以上ドラッグさせると、操作画面３１の表示位置が、ユーザの指に手繰り寄せられるように、変更される。」というものである（［要約］参照）。
【０００４】
特開２００９−１６３２７８号公報（特許文献２）は、「ユーザの使用状況に応じて、ＧＵＩの操作性を向上することができる携帯型機器」を開示している。具体的には、「携帯型機器１１は、筐体１２と、筐体１２に設けられるとともに、ユーザによって把持される部分に近接する第１の辺部３１を有するディスプレイと、ディスプレイ上に表示される複数のアイコン１４と、ディスプレイの表面に対応して設けられるとともに、アイコン１４を操作可能なタッチパネル１６と、筐体１２に設けられるとともに、ユーザによって把持される部分を感知するためのセンサと、を具備する。複数のアイコン１４は、第１の辺部３１の下端にある第１の角部３２を中心とする円弧５１Ａと、円弧５１Ａから第１の角部３２に向かって延びる弦５１Ｂと、によって囲まれる第１の領域５１内に配置される。」というものである（［要約］参照）。
【０００５】
特開２００９−１６９８２０号公報（特許文献３）は、「筐体を左右のどちらの手で持っても無理なく操作することができる携帯端末」を開示している。具体的には、「筐体の右縁上側に設けた右タッチセンサ部１２又は筐体の左縁上側に設けた左タッチセンサ部１３からのタッチセンサ検知状態変化イベントとタッチパネル部１１からのタッチパネル検知イベントとを基に筐体が人の手によってどのように保持されているかを示す保持情報を管理する保持状態管理部１４と、保持状態管理部１４で管理されている保持情報を基に端末の操作が右手での片手操作か、左手での片手操作か又は両手での操作かを判断し、片手での操作の場合には片手での操作がし易いようにタッチパネル部１１における操作ボタンの配置を変更するＵＩ表示変更指示部１６とを備える。この構成により、筐体を左右のどちらの手で持っても無理なく操作を行うことができる。」というものである（［要約］参照）。
【０００６】
国際公開第２００９／０３１２１４号（特許文献４）は、「片手で保持するとともにその手でタッチパネルやタッチパッドを操作する場合に、その操作性を向上させることができる携帯端末装置」を開示している（［要約］参照）。
【先行技術文献】
【特許文献】
【０００７】
【特許文献１】特開２０１０−３３０７号公報
【特許文献２】特開２００９−１６３２７８号公報
【特許文献３】特開２００９−１６９８２０号公報
【特許文献４】国際公開第２００９／０３１２１４号
【発明の概要】
【発明が解決しようとする課題】
【０００８】
タッチパネル形式の携帯電話、スマートフォンその他の画像表示端末の操作の態様は、片手で画像表示端末を持ってその片手の親指で操作する場合、または、片手で画像表示端末を保持し、他の片手で操作を行なう場合のいずれかである。画像表示端末の操作領域は、全画面へのタッチが可能な領域として規定されており、消費電力は増大する傾向にある。したがって、タッチパネルを有する画像表示端末において電力の消費を抑制することが必要とされている。
【０００９】
本発明は、上述のような問題点を解決するためになされたものであって、その目的は、電力の消費が抑制される画像表示端末を提供することである。他の局面における目的は、電力の消費が抑制されるように画像表示端末を制御するための方法を提供することである。さらに他の局面における目的は、電力の消費が抑制されるように画像表示端末を制御するためのプログラムを提供することである。
【課題を解決するための手段】
【００１０】
一実施の形態に従う、片手で把持できる画像表示端末は、筺体と、画像を表示領域に表示するための表示手段と、表示領域に対するタッチ操作を検出するためのタッチパネルと、画像表示端末の姿勢を検出するための姿勢検出手段と、筺体の長手方向の二つの側面に設けられて画像表示端末のユーザの親指が二つの側面のいずれかに接触しているか否かを判断するための判断手段と、親指が二つの側面のいずれかに接触していないときに、タッチパネルの一部に対する電力供給をオフにするための電源制御手段とを備える。
【００１１】
好ましくは、判断手段は、二つの側面において５か所が接触されたか否かに基づいて、親指が二つの側面のいずれかに接触しているか否かを判断するように構成されている。
【００１２】
好ましくは、判断手段は、二つの側面のうちの、各側面における接触点の数が少ない側面に接触点があるか否かに基づいて、親指が二つの側面のいずれかに接触しているか否かを判断するように構成されている。
【００１３】
好ましくは、画像表示端末は、当該画像表示端末がユーザの右手または左手のいずれで操作されているかを検出するための操作検出手段と、タッチ操作が有効な領域を設定するための設定手段とをさらに備える。設定手段は、画像表示端末が右手で操作されているとき、電源制御手段は、表示領域の右下を円の中心とした円弧の一部を、タッチ操作を受け付ける有効領域に設定し、画像表示端末が左手で操作されているとき、電源制御手段は、表示領域の左下を円の中心とした円弧の一部を、タッチ操作を受け付け有効領域に設定するように構成されている。
【００１４】
好ましくは、設定手段は、二つの側面のうちのいずれかの側面における親指の位置に基づいて、タッチ操作を受け付けない無効領域を設定するようにさらに構成されている。
【００１５】
好ましくは、設定手段は、タッチ操作を受け付けない無効領域の設定を受け付けるように構成されている。画像表示端末は、無効領域を表わすデータを格納するための記憶手段をさらに備える。
【００１６】
好ましくは、設定手段は、表示領域における一点のタッチ操作と、表示領域の端点とに基づいて、円弧を推定するように構成されている。
【００１７】
好ましくは、電源制御手段は、表示領域に表示される画面をユーザの方向に引き寄せるためのタッチ操作に基づいて、画面が表示されている領域よりも奥にある領域の電源をオフにするように構成されている。
【００１８】
好ましくは、タッチパネルは、二枚のタッチパネルシートを含む。二枚のタッチパネルシートのうちの第１のタッチパネルシートと第２のタッチパネルシートとは、表示領域のうちの第１の領域と第２の領域とにそれぞれ対応している。第１のタッチパネルシートは第２のタッチパネルシートの奥に配置されている。電源制御手段は、親指が二つの側面のいずれかに接触していないときに、第１のタッチパネルシートへの電力供給をオフにする。
【００１９】
他の実施の形態に従うと、片手で把持できる画像表示端末の制御方法が提供される。画像表示端末は、筺体と、画像を表示領域に表示するための表示装置と、表示領域に対するタッチ操作を検出するためのタッチパネルと、画像表示端末の動作を制御するためのプロセッサとを備えている。制御方法は、プロセッサが、画像表示端末の姿勢を検出するステップと、プロセッサが、筺体の長手方向の二つの側面に設けられて画像表示端末のユーザの親指が二つの側面のいずれかに接触しているか否かを判断するステップと、プロセッサが、親指が二つの側面のいずれかに接触していないときに、タッチパネルの一部に対する電力供給をオフにするステップとを含む。
【００２０】
さらに他の実施の形態に従うと、片手で把持できる画像表示端末を制御するためのプログラムが提供される。画像表示端末は、筺体と、画像を表示領域に表示するための表示装置と、表示領域に対するタッチ操作を検出するためのタッチパネルと、画像表示端末の動作を制御するためのプロセッサとを備えている。プログラムは、プロセッサに、画像表示端末の姿勢を検出するステップと、筺体の長手方向の二つの側面に設けられて画像表示端末のユーザの親指が二つの側面のいずれかに接触しているか否かを判断するステップと、親指が二つの側面のいずれかに接触していないときに、タッチパネルの一部に対する電力供給をオフにするステップとを実行させる。
【発明の効果】
【００２１】
ある局面において、タッチパネルを有する画像表示端末において電力の消費が抑制される。
【００２２】
この発明の上記および他の目的、特徴、局面および利点は、添付の図面と関連して理解されるこの発明に関する次の詳細な説明から明らかとなるであろう。
【図面の簡単な説明】
【００２３】
【図１】画像表示端末１００のディスプレイ３５においてタッチ操作が有効な領域の切り換えを表わす図である。
【図２】画像表示端末１００のハードウェア構成を表わすブロック図である。
【図３】画像表示端末１００の機能的構成を表わすブロック図である。
【図４】ディスプレイ３５の構成の概略を表わす図である。
【図５】画像表示端末１００の制御部３１０が実行する一連の処理の一部を表わすフローチャートである。
【図６】画像表示端末１００が電源制御を実現するために制御部３１０によって実現される処理を表わすフローチャートである。
【図７】ユーザが右手で画像表示端末１００を把持する場合の状態を表わす図である。
【図８】無効領域が長方形である場合を表わす図である。
【図９】タッチ操作が無効な領域が円弧で規定される態様を表わす図である。
【図１０】ユーザが画像表示端末１００を右手６００で把持し、左手６０１で操作する態様を表わす図である。
【図１１】画像表示端末１００が横長方向に把持されている状態を表わす図である。
【図１２】ユーザが画像表示端末１００を左手６０１で把持している態様を表わす図である。
【図１３】ユーザが右手６００で画像表示端末１００に表示されているアイコン１１１０を手元に引き寄せる操作（いわゆる手繰り寄せ操作）を行なう場合の状態を表わす図である。
【図１４】画像表示端末１００が手繰り寄せモードを有する場合における処理の一部を表わすフローチャートである。
【図１５】制御部３１０が実行する一連の処理の一部を表わすフローチャートである。
【図１６】画像表示端末１００にタッチ操作が有効な領域および無効な領域を登録するために行なわれる画面の例を表わす図である。
【図１７】タッチ操作が無効な領域が存在する場合において画像表示端末１００がそのことを通知する一態様を表わす図である。
【図１８】画像表示端末１００が無効領域を設定している場合において無効領域の輝度を落とす態様を表わす図である。
【図１９】本変形例に係る画像表示端末１７００の概要を表わす図である。
【図２０】タッチセンサ制御部３３０が第１タッチパネル１７１０および第２タッチパネル１７２０を制御する態様を表わす図である。
【図２１】他の変形例に係る画像表示端末１９００の概要を表わす図である。
【図２２】画像表示端末１９００の使用態様を表わす図である。
【図２３】本実施の形態におけるタッチ操作が有効な領域または無効な領域を移動させる態様を表わす図である。
【発明を実施するための形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２５】
［技術思想］
図１を参照して、本実施の形態に係る画像表示端末１００の技術思想について説明する。図１は、画像表示端末１００のディスプレイ３５においてタッチ操作が有効な領域の切り換えを表わす図である。画像表示端末１００は、たとえば、携帯電話、スマートフォン、タブレット型端末その他の端末であって、タッチパネルを有する端末であるが、例示列挙された前述の端末に限られない。
【００２６】
ある局面において、ユーザは、画像表示端末１００を片手で持ち、その片手の親指で操作をする場合には、画像表示端末１００は、親指の届く範囲のみタッチ操作の検知が有効な領域に設定し、親指が届かない範囲をタッチ操作の検知が無効な領域に設定する。この場合、本実施の形態に係る技術思想は、たとえば、以下の特徴を含む。
（１）１枚のタッチシートにて電力の供給を停止する領域を指定して、タッチ操作が有効な領域および無効な領域を動的に制御する。
（２）画像表示端末１００が、予め構成された複数のタッチシートを備える。この場合、タッチ操作の検出の切り替えの領域がタッチシート単位で固定される。
（３）画像表示端末１００が縦長の状態でユーザに把持されており、当該ユーザが片手で画像表示端末１００を操作している場合、画像表示端末１００は、タッチ操作領域のうちの一部にタッチ操作が無効となる領域を設定する。
（４）ユーザが画像表示端末１００を両手で操作する場合には、画像表示端末１００は、全画面へのタッチ操作を有効となるように設定する。
（５）ユーザが画像表示端末１００を横長の状態で把持している場合に、画像表示端末１００は、全画面へのタッチ操作が有効となるように設定する。
【００２７】
状態（Ａ）を参照して、画像表示端末１００は、タッチパネル式のディスプレイ３５を備える。ある局面において、画像表示端末１００は、画像表示端末１００のユーザによるタッチ操作が無効な領域１１０と、タッチ操作が有効な領域１２０とを含む。タッチセンサが入力を受け付ける構成である場合に、領域１２０のようにタッチ操作が有効になる。タッチ操作がタッチセンサによって受け付けられない場合には、領域１１０のようにタッチ操作が無効となる。
【００２８】
領域１１０と領域１２０とは、たとえば境界１３０によって区別される。領域１１０は、たとえば、ユーザが片手で画像表示端末１００を把持している場合に親指が届かない範囲である。領域１２０は、ユーザが片手たとえば右手で画像表示端末１００を把持している場合において親指が届く範囲である。
【００２９】
状態（Ｂ）を参照して、ユーザが画像表示端末１００をたとえば両手で操作する場合、ディスプレイ３５のタッチ操作領域全体がユーザによるタッチ操作が有効な領域として機能する。すなわち、タッチ操作領域の全ての領域に対するタッチ操作がタッチセンサによって受け付けられる。
【００３０】
［ハードウェア構成］
図２を参照して、本実施の形態に係る画像表示端末１００の構成についてさらに説明する。図２は、画像表示端末１００のハードウェア構成を表わすブロック図である。
【００３１】
画像表示端末１００は、ＣＰＵ２０と、アンテナ２３と、通信装置２４と、カメラ２６と、フラッシュメモリ２７と、ＲＡＭ（Random  Access  Memory）２８と、ＲＯＭ２９と、メモリカード駆動装置３０と、マイク３２と、スピーカ３３と、音声信号処理回路３４と、ディスプレイ３５と、ＬＥＤ（Light  Emitting  Diode）３６と、データ通信Ｉ／Ｆ３７と、バイブレータ３８と、加速度センサ３９とを備える。メモリカード駆動装置３０には、メモリカード３１が装着され得る。
【００３２】
アンテナ２３は、基地局によって発信される信号を受信し、または、基地局を介して他の通信装置と通信するための信号を送信する。アンテナ２３によって受信された信号は、通信装置２４によってフロントエンド処理が行なわれた後、処理後の信号は、ＣＰＵ２０に送られる。
【００３３】
ＣＰＵ２０は、画像表示端末１００に対して与えられる命令に基づいて画像表示端末１００の動作を制御するための処理を実行する。画像表示端末１００が信号を受信すると、ＣＰＵ２０は、通信装置２４から送られた信号に基づいて予め規定された処理を実行し、処理後の信号を音声信号処理回路３４に送出する。音声信号処理回路３４は、その信号に対して予め規定された信号処理を実行し、処理後の信号をスピーカ３３に送出する。スピーカ３３は、その信号に基づいて音声を出力する。
【００３４】
マイク３２は、画像表示端末１００に対する発話を受け付けて、発話された音声に対応する信号を音声信号処理回路３４に対して送出する。音声信号処理回路３４は、その信号に基づいて通話のために予め規定された処理を実行し、処理後の信号をＣＰＵ２０に対して送出する。ＣＰＵ２０は、その信号を送信用のデータに変換し、変換後のデータを通信装置２４に対して送出する。通信装置２４は、そのデータを用いて送信用の信号を生成し、アンテナ２３に向けてその信号を送出する。
【００３５】
フラッシュメモリ２７は、ＣＰＵ２０から送られるデータを格納する。また、ＣＰＵ２０は、フラッシュメモリ２７に格納されているデータを読み出し、そのデータを用いて予め規定された処理を実行する。
【００３６】
ＲＡＭ２８は、ユーザインターフェイス２５に対して行なわれた操作に基づいてＣＰＵ２０によって生成されるデータを一時的に保持する。ＲＯＭ２９は、画像表示端末１００に予め定められた動作を実行させるためのプログラムあるいはデータを格納している。ＣＰＵ２０は、ＲＯＭ２９から当該プログラムまたはデータを読み出し、画像表示端末１００の動作を制御する。
【００３７】
メモリカード駆動装置３０は、メモリカード３１に格納されているデータを読み出し、ＣＰＵ２０に送出する。メモリカード駆動装置３０は、ＣＰＵ２０によって出力されるデータを、メモリカード３１の空き領域に書き込む。
【００３８】
音声信号処理回路３４は、上述のような通話のための信号処理を実行する。なお、図２に示される例では、ＣＰＵ２０と音声信号処理回路３４とが別個の構成として示されているが、他の局面において、ＣＰＵ２０と音声信号処理回路３４とが一体として構成されていてもよい。
【００３９】
ディスプレイ３５は、タッチパネル式のディスプレイであるが、タッチパネルの機構は特に限られない。ディスプレイ３５は、ＣＰＵ２０から取得されるデータに基づいて、当該データによって規定される画像を表示する。たとえば、フラッシュメモリ２７が格納している静止画、動画、音楽ファイルの属性（当該ファイルの名前、演奏者、演奏時間など）を表示する。
【００４０】
ＬＥＤ３６は、ＣＰＵ２０からの信号に基づいて、予め定められた発光動作を実現する。データ通信Ｉ／Ｆ３７は、データ通信用のケーブルの装着を受け付ける。
【００４１】
データ通信Ｉ／Ｆ３７は、ＣＰＵ２０から出力される信号を当該ケーブルに対して送出する。あるいは、データ通信Ｉ／Ｆ３７は、当該ケーブルを介して受信されるデータを、ＣＰＵ２０に対して送出する。
【００４２】
バイブレータ３８は、ＣＰＵ２０から出力される信号に基づいて、予め定められた周波
数で発振動作を実行する。
【００４３】
加速度センサ３９は、画像表示端末１００に作用する加速度の方向を検出し、検出結果をＣＰＵ２０に送信する。
【００４４】
ある局面において、ＣＰＵ２０は、画像表示端末１００の姿勢を検出する。ＣＰＵ２０は、画像表示端末１００の筺体の長手方向の二つの側面に設けられて画像表示端末１００のユーザの親指が二つの側面のいずれかに接触しているか否かを判断する。親指が二つの側面のいずれかに接触していないときに、ＣＰＵ２０は、ディスプレイ３５のタッチパネルの一部に対する電力供給をオフにする（一時的に遮断する）。
【００４５】
他の局面において、ＣＰＵ２０は、二つの側面において５か所が接触されたか否かに基づいて、親指が二つの側面のいずれかに接触しているか否かを判断するように構成されている。
【００４６】
他の局面において、ＣＰＵ２０は、二つの側面のうちの、各側面における接触点の数が少ない側面に接触点があるか否かに基づいて、親指が二つの側面のいずれかに接触しているか否かを判断するように構成されている。
【００４７】
他の局面において、ＣＰＵ２０は、画像表示端末１００がユーザの右手または左手のいずれで操作されているかを検出し、タッチ操作が有効な領域を設定する。また、画像表示端末１００が右手で操作されているとき、ＣＰＵ２０は、ディスプレイ３５の表示領域の右下を円の中心とした円弧の一部を、タッチ操作を受け付ける有効領域に設定する。画像表示端末１００が左手で操作されているとき、ＣＰＵ２０は、表示領域の左下を円の中心とした円弧の一部を、タッチ操作を受け付け有効領域に設定するように構成されている。
【００４８】
他の局面において、ＣＰＵ２０は、二つの側面のうちのいずれかの側面における親指の位置に基づいて、タッチ操作を受け付けない無効領域を設定するようにさらに構成されている。
【００４９】
他の局面において、ＣＰＵ２０は、タッチ操作を受け付けない無効領域の設定を受け付けるように構成されている。フラッシュメモリ２７は、無効領域を表わすデータを格納するように構成されている。
【００５０】
他の局面において、ＣＰＵ２０は、表示領域における一点のタッチ操作と、表示領域の端点とに基づいて、円弧を推定するように構成されている。たとえば、ＣＰＵ２０は、当該一点と端点とを結ぶ線を半径とし、当該端点を中心とする円の円弧を推定する。
【００５１】
他の局面において、ＣＰＵ２０は、表示領域に表示される画面をユーザの方向に引き寄せるためのタッチ操作に基づいて、画面が表示されている領域よりも奥にある領域の電源をオフにするように構成されている。
【００５２】
他の局面において、ディスプレイ３５は、二枚またはそれ以上のタッチパネルシートを含む。当該二枚またはそれ以上のタッチパネルシートのうちの第１のタッチパネルシートと第２のタッチパネルシートとは、表示領域のうちの第１の領域と第２の領域とにそれぞれ対応している。第１のタッチパネルシートは第２のタッチパネルシートの奥に配置されている。ＣＰＵ２０は、親指が二つの側面のいずれかに接触していないときに、第１のタッチパネルシートへの電力供給をオフにするように構成されている。
【００５３】
なお、上述の各局面の特徴は、適宜組み合わされてもよい。
［機能構成］
図３を参照して、画像表示端末１００によって実現される機能について説明する。図３は、画像表示端末１００の機能的構成を表わすブロック図である。
【００５４】
画像表示端末１００は、制御部３１０と、タッチセンサ３２０と、タッチセンサ制御部３３０と、表示制御部３４０と、表示部３５０と、姿勢検出部３６０と、接触検出部３７０と、記憶部３８０とを備える。記憶部３８０は、無効領域記憶部３８１と、手繰り寄せモード可否記憶部３８２とを含む。
【００５５】
制御部３１０は、画像表示端末１００に対して与えられる命令または信号に基づいて、画像表示端末１００の動作を制御する。
【００５６】
タッチセンサ３２０は、表示部３５０に対するタッチ操作を検出する。
タッチセンサ制御部３３０は、タッチセンサ３２０からの出力に基づいて当該出力に応じた信号を制御部３１０に送信する。制御部３１０は、その信号に基づき画像表示端末１００の次の動作を規定する。
【００５７】
表示制御部３４０は、制御部３１０からの出力に基づいて、表示部３５０における画面の表示を制御する。
【００５８】
表示部３５０は、表示制御部３４０の制御に基づいて、文字、図形またはその他の画像を表示する。当該画像には、静止画像または動画像が含まれる。他の局面において、表示部３５０は、領域１１０と領域１２０とを区別可能な態様で表示する。
【００５９】
姿勢検出部３６０は、画像表示端末１００の姿勢を検出する。検出される姿勢は、たとえば、画像表示端末１００が、そのユーザの視線から見て縦長であるかあるいは横長であるかである。
【００６０】
接触検出部３７０は、画像表示端末１００の筐体の側面に対する接触の有無を検出する。たとえば、接触検出部３７０は、画像表示端末１００の右側の側面または左側の側面においてユーザの指が何本接触しているかを検出する。
【００６１】
無効領域記憶部３８１は、領域１１０のようにタッチ操作を受け付けない領域を特定するためのデータを格納する。あるいは、無効領域記憶部３８１は、領域１２０のようにタッチ操作が有効な領域を特定するためのデータをさらに格納してもよい。
【００６２】
手繰り寄せモード可否記憶部３８２は、ディスプレイ３５に表示されているアイコンをユーザの手元に手繰り寄せる操作が有効であるか否かを設定するモード情報を格納する。手繰り寄せる操作が行われると、ディスプレイ３５のある部分（たとえば、表示領域の端）に表示されているアイコンが、別の部分（たとえば、表示領域の中央部）にスライドして表示される。
【００６３】
ある局面において、制御部３１０と、タッチセンサ制御部３３０と、表示制御部３４０とは、ＣＰＵ２０によって実現される。表示部３５０は、ディスプレイ３５として実現される。姿勢検出部３６０は、加速度センサ３９として実現される。記憶部３８０は、フラッシュメモリ２７によって実現される。
【００６４】
図４を参照して、タッチパネル式のディスプレイ３５の構成についてさらに説明する。図４は、ディスプレイ３５の構成の概略を表わす図である。ディスプレイ３５は、カバーガラス４１０と、タッチパネル４２０と、液晶パネル４３０とを備える。カバーガラス４１０は、タッチパネル４２０を保護する態様でタッチパネル４２０の上に配置されている。
【００６５】
タッチパネル４２０は、たとえば、ガラス、フィルムまたはシートとして構成される。タッチパネル４２０は、カバーガラス４１０に対する接触操作を検出し、その検出結果（たとえば座標値）を出力する。
【００６６】
液晶パネル４３０は、複数の画素を含み、各画素の色成分に基づいて画像を表示する。
なお、ディスプレイ３５の構成は、当業者にとって容易に理解できるものである。したがって、ディスプレイ３５の詳細な説明は繰り返さない。
【００６７】
［制御構造］
図５を参照して、画像表示端末１００の制御構造について説明する。図５は、画像表示端末１００の制御部３１０が実行する一連の処理の一部を表わすフローチャートである。
【００６８】
ステップＳ５１０にて、制御部３１０は、接触検出部３７０からの出力に基づいて、画像表示端末１００の筐体の側面に接触している指の数を検出する。検出される指の数が４本以下である場合には、制御部３１０は、制御をステップＳ５２０に切り換える。指の数が５本である場合には、制御部３１０は、制御をステップＳ５５０に切り換える。
【００６９】
ステップＳ５２０にて、制御部３１０は、姿勢検出部３６０からの出力に基づいて、画像表示端末の姿勢が縦向き（縦長方向）か横向き（横長方向）かを判断する。画像表示端末が縦向きである場合には、制御部３１０は、制御をステップＳ５３０に切り換える。画像表示端末１００の姿勢が横向きである場合には、制御部３１０は、制御をステップＳ５５０に切り換える。
【００７０】
ステップＳ５３０にて、制御部３１０は、無効領域記憶部３８１から無効領域の座標値を取り出す。たとえば、ＣＰＵ２０が当該座標値をフラッシュメモリ２７から読み出して、ＲＡＭ２８のワーク領域に当該座標値を展開する。制御は、ステップＳ５４０に移される。
【００７１】
ステップＳ５４０にて、制御部３１０は、当該座標値を参照して、タッチセンサ制御部３３０を介して、タッチセンサ３２０における無効領域以外の領域に対して電源を供給するように命令する。これにより、タッチ操作を受け付けるように設定された領域（たとえば、領域１２０）は、タッチ操作有効領域として機能する。
【００７２】
ステップＳ５５０にて、制御部３１０は、タッチセンサ制御部３３０を介して、タッチセンサ３２０におけるすべての領域に対して電源の供給を命令する。その後、制御は終了する。
【００７３】
なお、ステップＳ５２０の処理が行われるタイミングは、ステップＳ５１０の後に限られない。たとえば、ステップＳ５２０は、ステップＳ５１０の前に行なわれてもよい。
【００７４】
［側面タッチの検出］
図６を参照して、画像表示端末１００の制御構造についてさらに説明する。図６は、画像表示端末１００が電源制御を実現するために制御部３１０によって実現される処理を表わすフローチャートである。
【００７５】
ステップＳ５２０にて、制御部３１０は、姿勢検出部３６０からの出力に基づいて、画像表示端末の姿勢が縦向きか横向きかを判断する。画像表示端末が縦向きである場合には、制御部３１０は、制御をステップＳ２１１０に切り換える。画像表示端末１００の姿勢が横向きである場合には、制御部３１０は、制御をステップＳ５５０に切り換える。
【００７６】
ステップＳ２１１０にて、制御部３１０は、いずれの側面に何点の接触があるかを検出する。制御は、ステップＳ２１２０に移される。
【００７７】
ステップＳ２１２０にて、制御部３１０は、検出した接触点から、側面への接触面積が予め設定されたある閾値以上の接触点を除去する。これにより、ユーザの手の平が接触している場合を判断対象から除去することができるので、精度の低下が防止される。
【００７８】
ステップＳ２１３０にて、制御部３１０は、側面検出部で検出された点の数が多い側面と反対側の側面に検出点があるか否かを判断する。制御部３１０は、当該検出点があると判断すると、制御をステップＳ５５０に切り換える。一方、制御部３１０は、当該検出点がないと判断すると、制御をステップＳ２１４０に切り換える。
【００７９】
ステップＳ２１４０にて、制御部３１０は、無効領域記憶部３８１からタッチ操作が無効とされる領域として規定された領域の座標値を取り出す。制御は、ステップＳ５４０に移される。
【００８０】
ステップＳ５４０にて、制御部３１０は、タッチセンサ制御部３３０を介して、タッチセンサ３２０における無効領域以外の領域に対して電源を供給するように命令する。その後、制御は終了する。
【００８１】
ステップＳ５５０にて、制御部３１０は、タッチセンサ制御部３３０を介して、タッチセンサ３２０におけるすべての領域に対して電源の供給を命令する。その後、制御は終了する。
【００８２】
図７を参照して、画像表示端末１００の側面に対する親指６４０の接触の有無について説明する。図７は、ユーザが右手で画像表示端末１００を把持する場合の状態を表わす図である。
【００８３】
状態（Ａ）を参照して、ある局面において、ユーザが画像表示端末１００を右手６００で把持し、両手で操作している。この場合、ユーザは、画像表示端末１００を右手６００で支えるために、親指６４０を画像表示端末１００の筺体に添えている。また、少なくとも３本の指、たとえば、中指６４１、薬指６４２、小指６４３と、手の平６４５とが、筐体を把持している。このとき、画像表示端末１００の側面における接触点の数は、左側の側面が３（中指６４１、薬指６４２、小指６４３）であり、右側の側面が１（親指６４０）である。手の平６４５は、接触している幅が大きいため、制御部３１０は、接触点としては認識しない。このような場合において、画像表示端末１００は、接触点の数が多い側面（左の側面）と反対側の側面（右の側面）の接触点が、親指６４０であると判断する。
【００８４】
状態（Ｂ）を参照して、別の局面において、ユーザは、画像表示端末１００を右手６００で把持し、右手６００で操作する。この場合、ユーザは、少なくとも、右手６００の手の平６４５と、中指６４１と、薬指６４２と、小指６４３とで画像表示端末１００を支える。右手６００の親指６４０は、操作のために画像表示端末１００から離れる場合が多いので、制御部３１０は、画像表示端末１００の筺体の右側の側面における接触点を検出しない。この場合も、画像表示端末１００は、手の平６４５による筐体の接触部分を、接触している領域の大きさから接触点とみなさない。
【００８５】
［使用態様］
図８から図１３を参照して、本実施の形態に係る画像表示端末１００の使用態様について説明する。図８は、無効領域が長方形である場合を表わす図である。
【００８６】
ある局面において、ユーザの右手６００は、画像表示端末１００を把持している。このとき、画像表示端末１００は、タッチ操作が無効に設定された領域６１０と、タッチ操作が有効に設定された領域６２０とを含む。画像表示端末１００は、ディスプレイ３５に画像６３０を表示している。領域６１０は、タッチセンサの電源が遮断されているため、領域６１０に対してタッチ操作が行なわれても、画像表示端末１００はその操作に応じた動作を行なわない。一方、領域６２０には、タッチセンサの電源が供給されているため、ユーザの右手６００の親指が何らかのタッチ操作を行なうと、当該タッチ操作に応じた動作が画像表示端末１００によって実現される。
【００８７】
図９は、タッチ操作が無効な領域が円弧で規定される態様を表わす図である。他の局面において、画像表示端末１００は、タッチ操作が有効な領域７２０と無効な領域７１０との境界７３０を、円弧その他の曲線で規定してもよい。右手６００が画像表示端末１００を把持している場合、右手６００の親指６４０は、親指６４０の付け根を中心とした円弧状の曲線を描くことができる。そこで、ユーザの感覚に合わせるために、制御部３１０は、タッチ操作が受け付けられない領域７１０とタッチ操作を受け付ける領域７２０との境界７３０を円弧状に規定してもよい。
【００８８】
図１０は、ユーザが画像表示端末１００を右手６００で把持し、左手６０１で操作する態様を表わす図である。
【００８９】
図１０に示される場合、ユーザは、画像表示端末１００を両手で操作していることになる。この場合、画像表示端末１００は、ディスプレイ３５におけるタッチ操作領域の全体をタッチ操作が有効な領域として設定する。したがって、ユーザが両手で画像表示端末１００を操作可能な場合には、すべての領域に対するタッチ操作が受け付けられるため、ユーザは、操作の不都合を感じなくなる。
【００９０】
図１１は、画像表示端末１００が横長方向に把持されている状態を表わす図である。この場合、ユーザは、右手６００と左手６０１とで画像表示端末１００を操作することができるため、画像表示端末１００は、タッチ操作が無効な領域を規定しない。したがって、たとえば画像９３０に対するタッチ操作は、右手６００および左手６０１のいずれによっても可能である。
【００９１】
図１２は、ユーザが画像表示端末１００を左手６０１で把持している態様を表わす図である。この場合は、図９に示される右手６００の場合と同様に、左手６０１の親指６５０が届く範囲でタッチ操作が有効な領域１０２０と、タッチ操作が無効な領域１０１０とが規定される。したがって、画像表示端末１００のユーザが左利きであっても、画像表示端末１００におけるタッチ操作の有効または無効な領域が適切に設定され、消費電力も抑制され得る。
【００９２】
図１３は、ユーザが右手６００で画像表示端末１００に表示されているアイコン１１１０を手元に引き寄せる操作（いわゆる手繰り寄せ操作）を行なう場合の状態を表わす図である。
【００９３】
状態（Ａ）に示されるように、画像表示端末１００は、アイコン１１１０をディスプレイ３５の上方（すなわち右手６００が届きにくい場所）に表示している。この場合、ユーザは、親指６４０をアイコン１１１０の一部にタッチし、親指６４０を折り曲げる操作を行なうことによって、状態（Ｂ）に示されるように、アイコン１１２０として手元に表示させることができる。このとき、アイコン１１２０がディスプレイ３５の下に表示されることになるため、アイコン１１１０が表示されていた部分は、たとえばタッチ操作が無効な領域として設定されてもよい。すなわち、アイコン１１２０に対する操作が行なわれる間、領域１１３０に対する操作は行なわれないことになるため、画像表示端末１００は、領域１１３０に対する電力の供給を遮断し得る。これにより、タッチ操作が行なわれない領域１１３０に対する電源供給が抑制されるため、バッテリの消耗も抑制される。
【００９４】
［制御構造］
図１４を参照して、画像表示端末１００の制御構造についてさらに説明する。図１４は、画像表示端末１００が手繰り寄せモードを有する場合における処理の一部を表わすフローチャートである。
【００９５】
ステップＳ１２１０にて、制御部３１０は、手繰り寄せモード可否記憶部３８２に格納されているデータを参照することにより、画像表示端末１００の動作モードが手繰り寄せモード中であるか否かを判断する。画像表示端末１００の動作モードが手繰り寄せモードである場合には（ステップＳ１２１０にてＹＥＳ）、制御部３１０は制御をステップＳ１２２０に切り換える。そうでない場合には（ステップＳ１２１０にてＮＯ）、制御部３１０は、制御をステップＳ１２４０に切り換える。
【００９６】
ステップＳ１２２０にて、制御部３１０は、無効領域記憶部３８１から無効領域の座標値を取り出す。制御は、ステップＳ１２３０に移される。
【００９７】
ステップＳ１２３０にて、制御部３１０は、タッチセンサ制御部３３０を介して、無効領域以外の全画面の領域に対して電力を供給するようにタッチセンサ制御部３３０に命令する。その後、制御は終了する。
【００９８】
ステップＳ１２４０にて、制御部３１０は、タッチセンサ制御部３３０を介して、ディスプレイ３５の全画面に対して電力を供給する。
【００９９】
［登録処理］
図１５を参照して、画像表示端末１００に対してタッチ操作が無効な領域を登録するための処理について説明する。図１５は、制御部３１０が実行する一連の処理の一部を表わすフローチャートである。
【０１００】
ステップＳ１３１０にて、制御部３１０は、タッチセンサ３２０からの出力に基づいて、登録モードの開始を検知する。
【０１０１】
ステップＳ１３２０にて、制御部３１０は、登録時の操作を促すメッセージを表示部３５０に表示させる。
【０１０２】
ステップＳ１３３０にて、制御部３１０は、タッチセンサ３２０からの出力に基づいて、表示部３５０（ディスプレイ３５）に入力されたタッチ操作の軌跡の座標値を取得する。
【０１０３】
ステップＳ１３４０にて、制御部３１０は、取得した座標値を無効領域記憶部３８１（フラッシュメモリ２７）に保存する。その後、制御は終了する。
【０１０４】
図１６から図１８を参照して、画像表示端末１００の使用態様についてさらに説明する。図１６は、画像表示端末１００にタッチ操作が有効な領域および無効な領域を登録するために行なわれる画面の例を表わす図である。
【０１０５】
状態（Ａ）に示されるように、ある局面において、登録モードが有効になると、画像表示端末１００はディスプレイ３５に対してメッセージ１４１０を表示する。メッセージ１４１０は、たとえば「片手で持ち、その持っている手の親指を伸ばして円を描いて下さい。」のように、ユーザに対して操作を促すメッセージである。ユーザが右手６００の親指６４０でメッセージに表示された操作を行うと、状態（Ｂ）に示されるように、領域１４２０が特定される。領域１４２０と、タッチ操作が無効な領域１４２１と、タッチ操作が有効な領域１４２２との各座標値は、それぞれ無効領域記憶部３８１に表示される。
【０１０６】
状態（Ｃ）に示されるように、ディスプレイ３５は、メッセージ１４３０を表示する。メッセージ１４３０は、たとえば「あなたの指の届く範囲を記憶しました。省電力のため今の領域より上は片手操作時はタッチ操作が無効となります。」のようなメッセージである。
【０１０７】
図１７は、タッチ操作が無効な領域が存在する場合において画像表示端末１００がそのことを通知する一態様を表わす図である。
【０１０８】
ある局面において、画像表示端末１００は、タッチ操作が無効な領域１５１０を設定している。このとき、画像表示端末１００は、アイコン１５００を表示することにより、タッチ操作が無効な領域が設定されていることを画像表示端末１００のユーザに通知する。これにより、ユーザは、タッチ操作を具体的に行う前に、タッチ操作ができない領域の存在を知ることができるので、ディスプレイ３５が故障している等の誤解が防止される。
【０１０９】
図１８は、画像表示端末１００が無効領域を設定している場合において無効領域の輝度を落とす態様を表わす図である。ある局面において、画像表示端末１００は、タッチ操作が無効な領域１６１０を設定している。このとき、画像表示端末１００は、領域１６１０に対して供給される電力を抑制することにより、領域１６１０における輝度を落とすことができる。このようにすると、画像表示端末１００のユーザは、領域１６１０に対するタッチ操作ができないことを感覚的に知ることができる。
【０１１０】
＜変形例＞
図１９を参照して、本実施の形態の変形例について説明する。図１９は、本変形例に係る画像表示端末１７００の概要を表わす図である。画像表示端末１７００は、第１タッチパネル１７１０と、第２タッチパネル１７２０とを備える。その他のハードウェア構成および機能は、画像表示端末１００と同様であるので、ハードウェア構成および機能の説明は、繰り返さない。
【０１１１】
第１タッチパネル１７１０と第２タッチパネル１７２０とは、それぞれ独立に電力の供給を切り換えることができる。したがって、画像表示端末１７００は、たとえば、第１タッチパネル１７１０に対する電力の供給を遮断することによりタッチ操作を無効にし、第２タッチパネル１７２０に対する電力の供給を行なうことによりタッチ操作を有効にすることができる。
【０１１２】
図２０を参照して、本変形例についてさらに説明する。図２０は、タッチセンサ制御部３３０が第１タッチパネル１７１０および第２タッチパネル１７２０を制御する態様を表わす図である。
【０１１３】
状態（Ａ）に示されるように、ある局面において、タッチセンサ制御部３３０は、第１タッチパネル１７１０に対して電力を供給しないことによりタッチ操作を無効にし、第２タッチパネル１７２０に対して電力を供給することによりタッチ操作を有効にすることができる。
【０１１４】
状態（Ｂ）に示されるように、ディスプレイ３５の全領域に対するタッチ操作を有効にする場合には、タッチセンサ制御部３３０は、第１タッチパネル１７１０および第２タッチパネル１７２０のいずれに対しても電力を供給することにより、全領域に対するタッチ操作を有効とすることができる。
【０１１５】
図２１および図２２を参照して、他の変形例について説明する。図２１は、他の変形例に係る画像表示端末１９００の概要を表わす図である。図２２は、画像表示端末１９００の使用態様を表わす図である。
【０１１６】
図２１に示されるように、画像表示端末１９００が備えるタッチパネルは、タッチ操作を検出するための複数のセンサ領域を含む。たとえば、ある局面において、タッチパネルの一部の領域１９１０，１９１１などがオフに設定され、タッチ操作を受け付けないように構成され得る。このとき、領域１９２０，１９２１，１９２３，１９２４，１９２５などのセンサ領域は、タッチセンサ制御部３３０によってオンに設定され、タッチ操作を受け付けるように構成される。
【０１１７】
図２２を参照して、ある局面において、ユーザの右手６００は、画像表示端末１９００を把持している。画像表示端末１９００は、図２１に示されるように、タッチ操作が有効な領域１９２０，１９２１などを規定する。したがって、領域１９２１，１９２０を含む領域２０２０は、タッチ操作が有効であり、領域１９１０，１９１１を含む領域２０１０は、タッチ操作が無効である。
【０１１８】
なお、複数のタッチパネル（あるいはタッチシート）の枚数および配置は、図２１および図２２に示される態様に限られない。３枚以上のタッチパネルが用いられてもよい。あるいは、タッチパネルの配置として矩形上に配置される態様以外の配置が用いられてもよい。
【０１１９】
このようにすると、タッチ操作が有効な領域および無効な領域の形状を任意に設定することも可能になるので、画像表示端末１９００に表示される画面の内容に応じて、タッチ操作が有効な領域または無効な領域をより詳細に規定できる。
【０１２０】
［領域の移動］
図２３は、本実施の形態におけるタッチ操作が有効な領域または無効な領域を移動させる態様を表わす図である。当該有効な領域または無効な領域は、一度設定された後に、変更可能であってもよい。そこで、図２３を参照して、このような場合について説明する。
【０１２１】
状態（Ａ）に示されるように、ある局面において、領域２３１０は、タッチセンサの電源がオンにされて、タッチ操作を受け付け可能な状態である。領域２３１０は、画像表示端末１００のユーザによって予め設定されたものである。ユーザは、領域２３１０の境界２３１１または親指６４０の位置を上方にスライド操作することにより、タッチ操作が有効な領域を変更（拡大または縮小）することができる。
【０１２２】
より具体的には、制御部３１０は、親指６４０の最新の位置を特定する。状態（Ｂ）に示されるように、制御部３１０は、親指６４０が接触している領域の範囲を特定する座標値のうち手の平６４５から離れた位置にある点２３３１の座標値に、予め設定されたスライド量２３３０（長手方向の移動距離）を加算することにより、タッチ操作が有効な領域の側面における上限の点２３３２の座標値を算出する。境界２３１１の各座標値も同様のスライド量２３３０だけ加算されて、領域２３２０を規定する境界２３２１が新たに規定される。
【０１２３】
なお、ユーザが親指６４０を手の平６４５の方に引き寄せた場合も同様である。この場合、タッチ操作を受け付ける領域は、領域２３１０よりも小さくなる。
【０１２４】
このような構成によれば、画像表示端末１００のユーザは、親指６４０を側面において移動させることにより、タッチ操作を受け付ける有効な領域と無効な領域とを変更することができる。
【０１２５】
以上のようにして、本実施の形態に係る画像表示端末は、ユーザによる把持の状態に応じてタッチ操作を受け付ける領域と受け付けない領域とを設定することができる。これにより、タッチ操作が行われない領域に対して電力の供給を停止することができるため、電力の消費が抑制される。
【０１２６】
また、タッチ操作が有効な領域と無効な領域とは、一度設定された後に変更できる。したがって、画像表示端末１００は、タッチパネルに表示される画面（たとえば、アイコンが表示される場所）に応じて、設定を変更することができるため、タッチ操作が不要な領域に対する操作を無効に設定することもできる。その結果、ユーザの利便性も向上し得る。
【０１２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２８】
２３  アンテナ、２４  通信装置、２５  ユーザインターフェイス、２６  カメラ、２７  フラッシュメモリ、２８  ＲＡＭ、２９  ＲＯＭ、３０  メモリカード駆動装置、３１  メモリカード、３２  マイク、３３  スピーカ、３４  音声信号処理回路、３５  ディスプレイ、３８  バイブレータ、３９  加速度センサ、１００  画像表示端末、１３０，７３０，２３１１  境界、３１０  制御部、３２０  タッチセンサ、３３０  タッチセンサ制御部、３４０  表示制御部、３６０  姿勢検出部、３７０  接触検出部、３８０  記憶部、３８１  無効領域記憶部、３８２  手繰り寄せモード可否記憶部、４１０  カバーガラス、４３０  液晶パネル、６００  右手、６０１  左手、６４０，６５０  親指、６４１  中指、６４２  薬指、６４３  小指、６４５  手の平、１４１０，１４３０  メッセージ、１７１０  第１タッチパネル、１７２０  第２タッチパネル。
【図１】
2014032478.tif 000003
【図２】
2014032478.tif 000004
【図３】
2014032478.tif 000005
【図４】
2014032478.tif 000006
【図５】
2014032478.tif 000007
【図６】
2014032478.tif 000008
【図７】
2014032478.tif 000009
【図８】
2014032478.tif 000010
【図９】
2014032478.tif 000011
【図１０】
2014032478.tif 000012
【図１１】
2014032478.tif 000013
【図１２】
2014032478.tif 000014
【図１３】
2014032478.tif 000015
【図１４】
2014032478.tif 000016
【図１５】
2014032478.tif 000017
【図１６】
2014032478.tif 000018
【図１７】
2014032478.tif 000019
【図１８】
2014032478.tif 000020
【図１９】
2014032478.tif 000021
【図２０】
2014032478.tif 000022
【図２１】
2014032478.tif 000023
【図２２】
2014032478.tif 000024
【図２３】
2014032478.tif 000025